(57)【要約】【課題】遮光性とクーリング性を両立させたウエアを提供する。【解決手段】本発明の遮光性ウエア(1)は、人体の上半身の少なくとも腹部と背中部を覆う遮光性ウエアであって、前身頃の上部半分以上の部分(2)と後身頃の上部２／３以上の部分と、肩から袖にかけて上部半分以上の部分(3a,3b)は遮光性生地であり、脇部(8a,8b)からサイド部(9a,9b)にかけての部分及び前身頃の上部半分未満の部分(7)と後身頃の上部２／３未満の部分は通気性生地であり、前記遮光性生地は、芯成分がポリプロピレン、鞘成分がポリエステルからなる芯鞘構造の複合繊維で構成されている。【選択図】図１
2015232192.tif 000002
【特許請求の範囲】
【請求項１】
人体の上半身の少なくとも腹部と背中部を覆う遮光性ウエアであって、
前身頃の上部半分以上の部分と、後身頃の上部２／３以上の部分と肩から袖にかけて上部半分以上の部分は遮光性生地であり、
脇部からサイド部にかけての部分及び前身頃の上部半分未満の部分と後身頃の上部２／３未満の部分は通気性生地であり、
前記遮光性生地は、芯成分がポリプロピレン、鞘成分がポリエステルからなる芯鞘構造の複合繊維で構成されていることを特徴とする遮光性ウエア。
【請求項２】
前記遮光性ウエアには衿が取り付けられており、前記衿生地も芯成分がポリプロピレン、鞘成分がポリエステルからなる芯鞘構造の複合繊維で構成されている請求項１に記載の遮光性ウエア。
【請求項３】
前記複合繊維はフィラメント糸である請求項１又は２に記載の遮光性ウエア。
【請求項４】
前記複合繊維は、鞘成分と芯成分の屈折率差で外部光を反射する請求項１〜３のいずれかに記載の遮光性ウエア。
【請求項５】
前記遮光性ウエアはシャツである請求項１〜４のいずれかに記載の遮光性ウエア。
【請求項６】
前記遮光性生地の通気量は、JIS L 1096A法(フラジール法)において８０〜３００ｃｍ３／ｓであり
請求項１〜５のいずれか１項に記載の遮光性ウエア。
【請求項７】
前記通気性生地の通気量は、JIS L 1096A法(フラジール法)において１５０ｃｍ３／ｓを超える請求項１〜６のいずれか１項に記載の遮光性ウエア。
【請求項８】
前記遮光性生地は、室温２０℃の環境下、黒画用紙の５mm上に試料を保持し、試料側上５０cmの位置からランプ(100V,500W)光を照射して裏面の画用紙中央の温度を熱電対で経時的に測定する遮熱性試験において、レギュラーポリエステル（ポリエチレンテレフタレート）繊維を使用し、後加工していない同一目付の編み物生地からなる基準布に比べて、１０分後で２℃以上低い請求項１〜７のいずれか１項に記載の遮光性ウエア。
【発明の詳細な説明】
【技術分野】
【０００１】
本発明は、太陽光を効果的に遮断できる遮光性とクーリング性を両立させたウエアに関し、とくにスポーツに好適な遮光性ウエアに関する。
【背景技術】
【０００２】
シャツなどのウエアは人体の上半身を覆い、普段の生活においては下着や中着として着用し、スポーツをする際にも有用である。スポーツシャツに関しては、野球、サッカー、ラグビー、マラソン、ランニング、ウォーキング、サイクリング、登山、テニスなどの屋外スポーツをする際には、太陽光に曝されることから、遮光性が要求される。加えて、高温下のスポーツでは発汗を伴い、クーリング性も要求される
特許文献１には芯鞘構造の繊維とこれを使用した織編物が提案されている。特許文献２にはポリエステル繊維にリン系難燃剤を加えた遮光繊維が提案されている。特許文献３には、袖と胸の上部に遮光性生地を配置したスポーツ用衣服が提案されている。しかし、これらの提案は遮光性とクーリング性を両立させることが十分ではなく、さらなる改良が求められている。
【先行技術文献】
【特許文献】
【０００３】
【特許文献１】ＷＯ２０１１／１５５５２４号報
【特許文献２】特表２００８−５２５６５２号公報
【特許文献２】特開平８−９２８０４号公報
【発明の概要】
【発明が解決しようとする課題】
【０００４】
本発明は、前記従来の問題を解決するため、遮光性とクーリング性を両立させたウエアを提供する。
【課題を解決するための手段】
【０００５】
本発明の遮光性ウエアは、人体の上半身の少なくとも腹部と背中部を覆う遮光性ウエアであって、前身頃の上部半分以上の部分と後身頃の上部２／３以上の部分と、肩から袖にかけて上部半分以上の部分は遮光性生地であり、脇部からサイド部にかけての部分及び前身頃の上部半分未満の部分と後身頃の上部２／３未満の部分は通気性生地であり、前記遮光性生地は、芯成分がポリプロピレン、鞘成分がポリエステルからなる芯鞘構造の複合繊維で構成されていることを特徴とする。
【発明の効果】
【０００６】
本発明は、太陽光線のより当たりやすい部分に遮光性生地を配置し、太陽光線が当たりにくい部分には通気性の大きい生地を配置することにより、遮光性とクーリング性を両立させたウエアを提供できる。
【図面の簡単な説明】
【０００７】
【図１】図１は本発明の一実施例における遮光性シャツの模式的正面図である。
【図２】図２は同、遮光性シャツの模式的裏面図である。
【図３】図３は同、遮光性生地に使用する繊維の模式的説明図である。
【図４】図４は本発明の一実施例における人体の側の正面側のコンピュータグラフィックを用いた太陽光照射量マッピングデータを示す。
【図５】図５は本発明の一実施例における人体の裏面側のコンピュータグラフィックを用いた太陽光照射量マッピングデータを示す。
【図６】図６は日光照射下における衣服内温度の測定箇所を示すもので、マネキンの肩、肩甲骨凸部、背中凹部の温度センサを貼り付け位置を示す写真である。
【発明を実施するための形態】
【０００８】
本発明は、太陽光照射量マッピングデータを作製し、これを分析したことから着想したものである。図４は本発明の一実施例における人体の正面側のコンピュータグラフィックを用いた太陽光照射量マッピングデータを示す。図５は同、人体の裏面側のマッピングデータを示す。このデータは日本の大阪の夏至１日の照射量積算値を示す。太陽の位置及び高度は独立行政法人新エネルギー・産業技術総合開発機構(NEDO)が発表しているデータを使用した。照射量が高いのは、上半身では頭部と、前身頃の上部（Ａ）と、後身頃の肩甲骨より上部（Ｂ）と、肩から袖にかけて上部（Ｃ）であり、６．０ＭＪ／ｍ２以上であることがわかる。このマッピングデータをウエアに応用すると、前記（Ａ）〜（Ｃ）のみを遮光性生地で覆えばよいが、実際にはこのウエアを着用した人は、前かがみになったり、そったり、ひねったりなど様々な動作を行う。とくにスポーツウエアはこの動きが大きい。そこで、前身頃の上部半分以上の部分と、後身頃の上部２／３以上の部分と肩から袖にかけて上部半分以上の部分は遮光性生地で覆うことにより、太陽光を十分な領域で遮蔽することにした。そして、脇部からサイド部にかけての部分及び前身頃の上部半分未満の部分と後身頃の上部２／３未満の部分には通気性生地を配置した。これにより、遮光性とクーリング性を両立できる。
【０００９】
本発明の遮光性ウエアは上半身の少なくとも腹部と背中部を覆うものであり、例えばシャツが好ましい。シャツは半袖シャツ、Ｔシャツなどである。そして、身長方向に沿って前身頃の上部半分以上と、後身頃の上部２／３以上と、肩から袖にかけて上部半分以上は遮光性生地であり、脇部からサイド部にかけては通気性生地であり、前記遮光性生地は、芯成分がポリプロピレン、鞘成分がポリエステルからなる芯鞘構造の複合繊維で構成されている。すなわち、太陽光線のより当たりやすい部分に遮光性生地を配置し、太陽光線が当たりにくい部分には通気性の大きい生地を配置する。これにより、遮光性とクーリング性を両立させる。
【００１０】
遮光性生地としては、酸化チタンやタルクなどの充填粒子を多量に含む繊維や、赤外線吸収性繊維等も考えられるが、これらの繊維は繊維自体が熱を持ちやすく着心地は良くない。本発明では数ある遮光性生地から、芯成分がポリプロピレン、鞘成分がポリエステルからなる芯鞘構造の複合繊維を選択した。この複合繊維は、鞘成分と芯成分の屈折率差で外部光（太陽光線）を反射する機能を有し、繊維自体は発熱しない。したがって、涼しい着心地となる。
【００１１】
本発明の遮光性ウエアには衿が取り付けられており、衿生地も芯成分がポリプロピレン、鞘成分がポリエステルからなる芯鞘構造の複合繊維で構成されているのが好ましい。衿部分も太陽光線が当たりやすく、鞘成分と芯成分の屈折率差で外部光（太陽光線）を反射する複合繊維の生地を使用すると、涼しい着心地が得られる。
【００１２】
複合繊維はフィラメント糸であるのが好ましい。フィラメント糸を使用することにより、遮光性生地の単位重量当たりの重量（目付）を軽くできる。遮光性生地の目付は、８０〜２００ｇ／ｍ２が好ましく、さらに好ましくは９０〜１３０ｇ／ｍ２である。通気性生地の目付は遮光性生地の目付より大きく、かつ１１０〜２００ｇ／ｍ２が好ましく、さらに好ましくは１２０〜１４０ｇ／ｍ２である。前記の範囲であれば、運動機能を損なわず、耐久性も良く、透けにくく軽くて動きやすい。
【００１３】
遮光性生地の通気量は、JIS L 1096A法(フラジール法)において８０〜３００ｃｍ３／ｓが好ましく、さらに好ましくは１１０〜２５０ｃｍ３／ｓである。遮光性生地は太陽光線を遮蔽するため目の詰まった織物又は編物にする必要があり、通気量を上げるには制限があるが、前記の範囲であれば通気性も良好である。
【００１４】
通気性生地の通気量は、遮光性生地より通気量が大きく、かつJIS L 1096A法(フラジール法)において１５０ｃｍ３／ｓを超えることが好ましく、さらに好ましくは１７０〜３５０ｃｍ３／ｓであり、とくに好ましくは１８０〜２７０ｃｍ３／ｓである。
【００１５】
また、遮光性生地は遮熱性試験において、ポリエステル基準布に対して１０分後で２℃以上低いものが好ましい。ここでポリエステル基準布とは、レギュラーポリエステル（ポリエチレンテレフタレート）繊維を使用し、後加工していない同一目付の編み物生地をいう。また遮熱性試験とは、室温２０℃の環境において、黒画用紙の５mm上に試料を保持し、試料側上５０cmの位置からランプ(岩崎電気社製アイランプ＜スポット＞PRS100V500W)光を照射して裏面の画用紙中央の温度を熱電対で経時的に測定する。なお、試験は位置を入れ替え２回測定し、そのデータを平均した値を試験結果とする。
【００１６】
遮光性生地及び通気性生地としては、通常のシャツ生地を採用できる。例えば、織物としては、平織、斜文織、朱子織、変化平織、変化斜文織、変化朱子織、変わり織、紋織、片重ね織、二重組織、多重組織、経パイル織、緯パイル織、絡み織等がある。編物としては、丸編、緯編、経編（トリコット編、ラッセル編を含む）、パイル編等を含み、平編、天竺編、リブ編、スムース編（両面編）、ゴム編、パール編、デンビー組織、コード組織、アトラス組織、鎖組織、挿入組織などがある。前記生地は、一般的には縫製によってシャツとする。また、縫製をしないホールガーメントと言われている一体的に編成されるシャツであってもよい。ホールガーメントの例としては、島精機社製編み機によるホールガーメントニットウエアがある。
【００１７】
以下図面を用いて説明する。以下の図面においては、同一符号は同一物を示す。図１は本発明の一実施例における遮光性シャツ１の模式的正面図、図２は同、遮光性シャツ１の模式的裏面図である。この遮光性シャツ１は次のように構成されている。
（１）遮光性生地を配置した部分
前身頃の上部半分以上の部分２と、後身頃の上部２／３以上の部分５と、肩から袖にかけて上部半分以上の部分３ａ，３ｂと、衿４に遮光性生地を配置した。
（２）通気性生地を配置した部分
脇部８ａ，８ｂからサイド部９ａ，９ｂ，１１ａ，１１ｂにかけての部分、及び前身頃の上部半分未満の部分７と、後身頃の上部２／３未満の部分１０に通気性生地を配置した。
【００１８】
図３は本発明の一実施例における遮光性生地に使用する繊維の模式的説明図である。この複合繊維１１は、芯成分１２がポリプロピレン、鞘成分１３がポリエステルからなる芯鞘構造である。太陽光線１４は芯成分１２の表面と、芯成分１２と鞘成分１３の界面で太陽光線１４を反射する。１５ａ〜１５ｄは反射光である。これにより繊維自体に熱はこもらない。
【実施例】
【００１９】
以下実施例を用いてさらに具体的に説明する。なお、本発明は下記の実施例に限定して解釈されるものではない。
＜通気量測定方法＞
JIS L 1096A法(フラジール法)に従って測定した。
＜日光照射量カット率＞
太陽光を照射量計にて測定し、生地で計測部を覆った前後の照射量の変化を計測し、下記の式で算出した。
日光照射量カット率(％)＝(ｂ／ａ)×１００
ａ:初期の照射量
ｂ：生地を覆った後の照射量
＜遮熱性試験＞
遮熱性試験は、室温２０℃の環境において、黒画用紙の５mm上に試料を保持し、試料側上５０cmの位置からランプ(岩崎電気社製アイランプ＜スポット＞PRS100V,500W)光を照射して裏面の画用紙中央の温度を熱電対で経時的に測定した。測定開始から１０分後の温度差を測定した。なお、試験は位置を入れ替え２回測定し、そのデータを平均した値を試験結果とした。
【００２０】
（参考例１）
（１）遮光性生地
東洋紡STC社製のポリエステルＦＤ８４Ｔ／３６ｆを交編率５３．４％とし、三菱レイヨン社製、商品名“ソーラーカット”８４Ｔ／４８ｆを交編率４６．６％とし、編機種：３４インチ  ２８ゲージでニット編みした。
（２）通気性生地
ポリエステルウーリー８４Ｔ／３６ｆを交編率６７．２％とし、ポリエステルＦＹ  ８４Ｔ／３６ｆを交編率３２．８％とし、編機種：３４インチ  ２８ゲージでニット編みした。
（３）シャツの縫製
遮光性生地と通気性生地の各編物を使用してシャツを縫製した。各編物生地の特性を表１にまとめて示す。
【００２１】
【表１】
2015232192.tif 000003
【００２２】
（実施例１）
上記で得られた各編物を使用して、図１〜２に示すシャツを縫製した。
【００２３】
（比較例１）
先行技術(特開平08-092804号公報)に記載されているように胸巾線上部に遮光性のある生地を配置し、それ以下は高通気性生地を配置してシャツを縫製した（これを「公知のシャツ」という）。
【００２４】
上記参考例と本実施例のシャツ、比較例（公知のシャツ）をマネキンに着せて屋外に置き、日光照射下における衣服内温度を測定した。図６に示すようにマネキンの肩、肩甲骨凸部、背中凹部に温度センサを貼り付け、２０分おきに１２回の温度測定をし、その平均温度を求めた。測定結果を表２にまとめて示す。
【００２５】
【表２】
2015232192.tif 000004
【００２６】
表２から、いずれの部位でも通気性編物を用いたシャツが最も温度が高かった。肩部が熱を持った影響により、肩甲骨、背中の温度が高くなったと思われる。これに対して実施例１のシャツは衣服内温度が最も低かった。
【００２７】
次に官能評価を行った。被験者は年齢２０〜４０代の男性１０名とし、屋外にて、実施例１のシャツ、遮光性シャツ、通気性シャツ、公知シャツをそれぞれ被験者に着用させ、１０分間立ってもらい各項目７段階で官能評価を行った。この官能評価は次のようにして行った。
＜衣服内に風を感じるor感じない＞
感じない〜感じるまでを１〜７点で評価した。
＜総合的に涼しいor暖かい＞
暖かい〜涼しいまでを１〜７点で評価した。
【００２８】
結果を以下の表３にまとめる。
【００２９】
【表３】
2015232192.tif 000005
【００３０】
表３に示す通り、実施例１のシャツは最も衣服内に風を感じ、総合的に涼しいことが確認できた。
【産業上の利用可能性】
【００３１】
本発明の遮光性ウエアは、半袖シャツ、７部袖シャツ、長袖シャツ、袖なし（タンクトップ）シャツ、ベスト、中着、上着など様々なウエアに適用できる。用途も野球、サッカー、ラグビー、マラソン、ランニング、ウォーキング、サイクリング、登山、テニスなどの屋外スポーツをする際には、太陽光に曝され、遮光性とクーリング性が要求されるウエアに好適である。
【符号の説明】
【００３２】
１  遮光性シャツ
２  前身頃の上部半分以上の部分
３ａ，３ｂ  肩から袖にかけて上部半分以上の部分
４  衿
５  後身頃の上部２／３以上の部分
７  前身頃の上部半分未満の部分
８ａ，８ｂ  脇部
９ａ，９ｂ，１１ａ，１１ｂ  サイド部
１０  後身頃の上部２／３未満の部分
１１  複合繊維
１２  芯成分
１３  鞘成分
１４  太陽光線
１５ａ〜１５ｄ  反射光
【図１】
2015232192.tif 000006
【図２】
2015232192.tif 000007
【図３】
2015232192.tif 000008
【図４】
2015232192.tif 000009
【図５】
2015232192.tif 000010
【図６】
2015232192.tif 000011